(57)【要約】【課題】スムーズな運転ができるようにドライバを支援可能な虚像表示を実現する表示制御装置等の提供。【解決手段】表示制御装置１００は、車両Ａにおいて用いられ、ドライバ等の乗員に視認される虚像Ｖｉの表示を制御する。表示制御装置１００は、車両Ａの走行経路ＤＲをドライバに案内する案内表示物１１を生成する。表示制御装置１００は、案内表示物１１による経路案内が生じる案内ポイントＧＰまでの残距離Ｌｒを把握する。そして、車両Ａから案内ポイントＧＰまでの残距離Ｌｒが切替距離Ｌ２よりも長い場合には、特定の重畳対象には重畳されない交差点通知虚像１３が案内表示物１１として表示される。さらに、案内ポイントＧＰまでの残距離が切替距離Ｌ２よりも短くなると、交差点通知虚像１３に替わる案内表示物１１として、特定の重畳対象に重畳される重畳虚像１４が表示される。【選択図】図２
2019207155.tif 000002
【特許請求の範囲】
【請求項１】
車両（Ａ）において用いられ、前記車両の乗員に視認される虚像（Ｖｉ）の表示を制御する表示制御装置であって、
前記車両の走行経路（ＤＲ）を前記乗員に案内する案内表示物（１１）を生成する表示生成部（７３）と、
前記案内表示物による経路案内が生じる案内ポイント（ＧＰ）までの残距離（Ｌｒ）を把握する距離把握部（５１）と、
前記車両から前記案内ポイントまでの前記残距離が切替距離（Ｌ２）よりも長い場合に、特定の重畳対象には重畳されない非重畳虚像（１２）を前記案内表示物として表示させ、前記案内ポイントまでの前記残距離が前記切替距離よりも短くなると、前記非重畳虚像に替わる前記案内表示物として、特定の重畳対象に重畳される重畳虚像（１４）を表示させる表示制御部（５３）と、
を備える表示制御装置。
【請求項２】
前記虚像の表示を許容する表示許可範囲（ＵＡ）を、前記虚像を表示可能な表示可能領域（ＰＡ）の一部に制限する領域制限部（５２）、をさらに備える請求項１に記載の表示制御装置。
【請求項３】
前記領域制限部は、前記案内ポイントまでの前記残距離が短いほど前記表示許可範囲を大きく規定する請求項２に記載の表示制御装置。
【請求項４】
前記領域制限部は、前記車両の前方についての認識情報に基づき、前記表示許可範囲を変更する請求項２又は３に記載の表示制御装置。
【請求項５】
前記領域制限部は、前記表示可能領域の下側に前記表示許可範囲を規定し、前記表示許可範囲を上方に拡大させる請求項２〜４のいずれか一項に記載の表示制御装置。
【請求項６】
前記表示制御部は、前記案内ポイントまでの前記残距離に基づき、前記重畳虚像の態様を変更する請求項１〜５のいずれか一項に記載の表示制御装置。
【請求項７】
前記表示制御部は、前記走行経路に沿って前記切替距離よりも前記案内ポイントの近くに規定されたアプローチ区間（ＡＳ）にて、前記重畳虚像としてレーン通知虚像（１５）を表示させ、
前記レーン通知虚像は、前記車両の前方路面に重畳される所定形状の路面画像（１５ａ）と、前記路面画像に対する左右の相対位置により前記案内ポイントまでに前記車両を移動させる左右の方向を示す方向通知画像（１５ｂ）と、を含む請求項６に記載の表示制御装置。
【請求項８】
前記表示制御部は、前記走行経路に沿って前記アプローチ区間よりも前記案内ポイントの近くに規定された進入区間（ＥＳ）にて、前記前方路面に重畳される減速通知虚像（１６）を前記重畳虚像として表示させ、
前記減速通知虚像は、前記車両の走行速度に基づき、当該走行速度の高さを注意喚起する態様に変更される請求項７に記載の表示制御装置。
【請求項９】
前記表示制御部は、前記車両が前記進入区間よりも前記案内ポイントに接近した場合に、前記重畳虚像として経路通知虚像（１７）を表示させ、
前記経路通知虚像は、前記案内ポイントを含む前記前方路面に重畳され、前記案内ポイントからの退出方位を示す請求項８に記載の表示制御装置。
【請求項１０】
前記表示制御部は、前記走行経路となる道路の走行環境情報に基づき、前記重畳虚像の態様を変更する前記残距離を調整する請求項６〜９のいずれか一項に記載の表示制御装置。
【請求項１１】
車両（Ａ）において用いられ、前記車両の乗員に視認される虚像（Ｖｉ）の表示を制御する表示制御プログラムであって、
少なくとも一つの処理部（６１）を、
前記車両の走行経路（ＤＲ）を前記乗員に案内する案内表示物（１１）を生成する表示生成部（７３）、
前記案内表示物による経路案内が生じる案内ポイント（ＧＰ）までの残距離（Ｌｒ）を把握する距離把握部（５１）、
前記車両から前記案内ポイントまでの前記残距離が切替距離（Ｌ２）よりも長い場合に、特定の重畳対象には重畳されない非重畳虚像（１２）を前記案内表示物として表示させ、前記案内ポイントまでの前記残距離が前記切替距離よりも短くなると、前記非重畳虚像に替わる前記案内表示物として、特定の重畳対象に重畳される重畳虚像（１４）を表示させる表示制御部（５３）、として機能させる表示制御プログラム。
【発明の詳細な説明】
【技術分野】
【０００１】
この明細書による開示は、虚像の表示を制御する技術に関する。
【背景技術】
【０００２】
従来、例えば特許文献１には、右左折を行う分岐点等の指示対象の路面に重畳される指示画像に加えて、指示画像の上方に配置される案内画像をさらに表示するヘッドアップディスプレイ装置が開示されている。特許文献１では、指示対象とされる分岐点への接近により、指示画像が強調表示される一方で、案内画像の視認性は、低下される。
【先行技術文献】
【特許文献】
【０００３】
【特許文献１】特開２０１５−１２０３９５号公報
【発明の概要】
【発明が解決しようとする課題】
【０００４】
特許文献１の虚像表示では、指示対象とされる分岐点までの残距離が長く、当該分岐点が視認しづらい状態でも、案内画像だけでなく、指示画像の重畳表示も開始される。こうした指示画像の表示開始に伴い、実景中にてまだ知覚し難い分岐点を無理に認識しようとするタスクが乗員に発生し得る。その結果、分岐点への接近時におけるスムーズな運転が妨げられる虞があった。
【０００５】
本開示は、スムーズな運転ができるように乗員を支援可能な虚像表示の実現を目的とする。
【課題を解決するための手段】
【０００６】
上記目的を達成するため、開示された一つの態様は、車両（Ａ）において用いられ、車両の乗員に視認される虚像（Ｖｉ）の表示を制御する表示制御装置であって、車両の走行経路（ＤＲ）を乗員に案内する案内表示物（１１）を生成する表示生成部（７３）と、案内表示物による経路案内が生じる案内ポイント（ＧＰ）までの残距離（Ｌｒ）を把握する距離把握部（５１）と、車両から案内ポイントまでの残距離が切替距離（Ｌ２）よりも長い場合に、特定の重畳対象には重畳されない非重畳虚像（１２）を案内表示物として表示させ、案内ポイントまでの残距離が切替距離よりも短くなると、非重畳虚像に替わる案内表示物として、特定の重畳対象に重畳される重畳虚像（１４）を表示させる表示制御部（５３）と、を備える表示制御装置とされる。
【０００７】
また開示された一つの態様は、車両（Ａ）において用いられ、車両の乗員に視認される虚像（Ｖｉ）の表示を制御する表示制御プログラムであって、少なくとも一つの処理部（６１）を、車両の走行経路（ＤＲ）を乗員に案内する案内表示物（１１）を生成する表示生成部（７３）、案内表示物による経路案内が生じる案内ポイント（ＧＰ）までの残距離（Ｌｒ）を把握する距離把握部（５１）、車両から案内ポイントまでの残距離が切替距離（Ｌ２）よりも長い場合に、特定の重畳対象には重畳されない非重畳虚像（１２）を案内表示物として表示させ、案内ポイントまでの残距離が切替距離よりも短くなると、非重畳虚像に替わる案内表示物として、特定の重畳対象に重畳される重畳虚像（１４）を表示させる表示制御部（５３）、として機能させる表示制御プログラムとされる。
【０００８】
これらの態様によれば、案内ポイントまでの残距離が切替距離よりも長い段階では、非重畳虚像が表示されるため、案内ポイントは、案内表示物によって明示されない。その結果、知覚し難い案内ポイントを無理に認識するようなタスクの発生が防がれ得る。そして、案内ポイントまでの残距離が切替距離よりも短くなった段階で、重畳表示が案内表示物として表示される。こうした案内表示物の表示変化によれば、重畳対象の認識が容易となったタイミングにて、案内表示物は、重畳対象に乗員の注意を向けさせることができる。その結果、虚像表示は、スムーズな運転ができるように乗員を支援可能となる。
【０００９】
尚、上記括弧内の参照番号は、後述する実施形態における具体的な構成との対応関係の一例を示すものにすぎず、技術的範囲を何ら制限するものではない。
【図面の簡単な説明】
【００１０】
【図１】虚像表示システムに関連する車載構成の全体像を示すブロック図である。
【図２】経路案内が行われる過程での非重畳像から重畳虚像への表示遷移、及び複数の重畳虚像の表示遷移の一例を示す図である。
【図３】経路案内の考え方であって、案内ポイントまでの残距離と通知情報との対応関係を一覧で示す図である。
【図４】連続分岐が発生するシーンの一例を示す図である。
【図５】表示制御装置にて実施される表示制御処理の詳細を示すフローチャートである。
【発明を実施するための形態】
【００１１】
本開示の一実施形態による表示制御装置１００は、車両Ａにおいて用いられる虚像表示システム１０を、ヘッドアップディスプレイ（Head Up Display，以下、「ＨＵＤ」）装置３０等と共に構成している。虚像表示システム１０は、車両Ａの乗員（例えばドライバ）によって視認可能な虚像Ｖｉを表示する。虚像表示システム１０は、車両Ａに関連する種々の情報を、虚像Ｖｉを用いてドライバに提示する。
【００１２】
表示制御装置１００は、車載ネットワークの通信バスを介して、他の車載構成と相互に通信可能である。通信バスには、例えばナビ情報提供部２１、ＡＤＡＳ情報提供部２２、自車情報提供部２７、ドライバ情報提供部２８及び車載装置４０等が直接的又は間接的に電気接続されている。
【００１３】
ナビ情報提供部２１及びＡＤＡＳ情報提供部２２は、経路案内に関連する経路案内情報を表示制御装置１００に提供する構成である。ナビ情報提供部２１は、車両Ａに搭載されたナビゲーション装置を少なくとも含む構成であり、地図データベース、ＧＮＳＳ（Global Navigation Satellite System）受信器及び車外通信器を有している。ナビ情報提供部２１は、ドライバにより設定された目的地までのルート情報、自車の現在位置及び方位、道路の混雑度合いを示す混雑情報、道路種別を示す種別情報、経路案内を行う交差点の座標及び形状情報等を、経路案内情報として通信バスに出力する。
【００１４】
尚、ナビ情報提供部２１は、ナビゲーションアプリを実行可能な携帯端末と通信可能な構成であってもよい。こうした構成のナビ情報提供部２１では、携帯端末との通信によって取得する地図データ及びルート情報等が、経路案内情報として表示制御装置１００に提供される。
【００１５】
ＡＤＡＳ情報提供部２２は、ロケータ２３、外界センサ２４、運転支援制御システム２５及び高精度マップデータベース２６を有している。ロケータ２３は、ＧＮＳＳ受信器にて受信された測位信号に、慣性センサ及び外界センサ２４等の計測情報と高精度マップ情報とを組み合わせた複合測位により、車両Ａが走行するレーンを示すような高精度位置情報を生成する。
【００１６】
外界センサ２４は、フロントカメラ、ミリ波及び準ミリ波レーダ、ライダ並びにソナー等を含む構成である。外界センサ２４は、車両Ａの周囲、特に車両Ａの前方範囲から、静止物体及び移動物体をリアルタイムに検出する。例えば外界センサ２４は、静止物体としての道路標識及び信号機、移動物体としての歩行者及びサイクリスト等を検出する。
【００１７】
運転支援制御システム２５は、ロケータ２３による高精度位置情報及び外界センサ２４による外界センシング情報、並びに高精度マップデータベース２６から取得する高精度マップ情報等を用いてドライバの運転操作を支援する。運転支援制御システム２５は、ＡＣＣ(Adaptive Cruise Control)、ＬＴＣ（lane trace control）、ＬＫＡ（Lane Keeping Assist）等の自動運転機能を実現する機能部を有している。加えて運転支援制御システム２５は、ＦＣＷ（Forward collision warning）及びＡＥＢ（Automatic emergency braking）等の衝突回避機能を実現する機能部を有している。
【００１８】
高精度マップデータベース２６は、ナビ情報提供部２１に格納された地図データよりも高精度な地図データとして、高精度マップ情報を記憶している。高精度マップには、車道の中心線、道路同士の繋がり等の情報に加えて、横断歩道、停止線、交通標識及び信号機等の３次元位置及び形状等の情報が含まれている。高精度マップデータベース２６は、高精度マップが未整備のエリアにて、高精度マップ情報の提供を中断する。
【００１９】
ＡＤＡＳ情報提供部２２は、上記の高精度位置情報、運転支援制御システム２５の運転支援制御情報、及び高精度マップ情報等を、経路案内情報として表示制御装置１００に提供する。
【００２０】
自車情報提供部２７は、車両Ａの状態を計測する複数の車載センサを含む構成である。車載センサには、車速センサ、加速度センサ及びジャイロセンサ等が含まれている。自車情報提供部２７は、車両Ａの現在の車速、加速度、角速度及び車両姿勢等の情報を、自車運動情報として表示制御装置１００に提供する。
【００２１】
ドライバ情報提供部２８は、車両Ａに搭載されたドライバステータスモニタ（Driver Status Monitor，以下、「ＤＳＭ」）を少なくとも含む構成であり、近赤外光源、近赤外カメラ及び画像解析部を有している。ドライバ情報提供部２８は、近赤外カメラを用いて撮像した顔画像の解析により、ドライバのアイポイントＥＰ、視線方向及び開眼度等の情報を取得する。ドライバ情報提供部２８は、取得したドライバのセンシング情報を表示制御装置１００に提供する。
【００２２】
車載装置４０は、車両Ａに搭載された電子制御ユニットであり、コンビネーションメータ４１、マルチインフォメーションディスプレイ（ＭＩＤ）４２及びセンターインフォメーションディスプレイ（ＣＩＤ）４３等の車載表示器と電気的に接続されている。車載装置４０は、各車載表示器への制御要求により、ドライバへの情報提示を統合的に制御する。
【００２３】
例えばＣＩＤ４３の表示画面には、地図データ及び目的地へ向けたルート情報等がナビゲーション装置によって表示される。ＣＩＤ４３の表示画面は、ドライバ等によるタッチ操作が可能なタッチパネル４４である。タッチパネル４４への操作入力に基づき、目的地の設定及び設定値の変更等が可能になっている。
【００２４】
ＨＵＤ装置３０は、表示制御装置１００と電気的に接続されており、表示制御装置１００にて生成された映像データを取得する。ＨＵＤ装置３０は、プロジェクタ、スクリーン及び拡大光学系等によって構成されている。ＨＵＤ装置３０は、ウィンドシールドＷＳの下方にて、インスツルメントパネル内の収容空間に収容されている。
【００２５】
ＨＵＤ装置３０は、虚像Ｖｉとして結像される表示像の光を、ウィンドシールドＷＳの投影範囲ＰＡへ向けて投影する。ウィンドシールドＷＳへ向けて投影された光は、投影範囲ＰＡにおいて運転席側へ反射され、ドライバによって知覚される。ドライバは、投影範囲ＰＡを通して見える前景中の重畳対象に、虚像Ｖｉが重畳された表示を視認可能である。
【００２６】
投影範囲ＰＡは、ＨＵＤ装置３０による光の投影が可能な範囲であり、ドライバの見た目上で虚像Ｖｉが表示可能となる範囲となる。投影範囲ＰＡは、ウィンドシールドＷＳ全面のうちの限られた一部の領域である。投影範囲ＰＡの画角は、例えば水平（横）方向に１２°とされ、垂直（縦）方向に４°とされる。ＨＵＤ装置３０は、ドライバのアイポイントＥＰから前景を見たとき、投影範囲ＰＡを通して見える範囲内の物体に限り、虚像Ｖｉを重畳表示させることができる。
【００２７】
虚像Ｖｉは、ウィンドシールドＷＳから比較的離れた位置、具体的には、アイポイントＥＰから車両Ａの前方向に１０〜２０ｍ程度の空間中に結像される。虚像Ｖｉには、重畳虚像１４と非重畳虚像１２とが存在する（図２参照）。重畳虚像１４は、投影範囲ＰＡを通して見える特定の重畳対象、例えば、前走車、歩行者及び路面等に重畳表示される。重畳虚像１４は、重畳対象に相対固定されているように、重畳対象を追って移動可能とされており、いわゆる拡張現実（Augmented Reality，以下「ＡＲ」）表示物としてドライバへの情報提示を行う。一方、非重畳虚像１２は、特定の重畳対象に重畳されず、単に前景に重畳表示される非ＡＲ表示物である。非重畳虚像１２は、例えばウィンドシールドＷＳに固定されているように表示される。
【００２８】
表示制御装置１００は、ＨＵＤ装置３０による虚像Ｖｉの表示を制御する電子制御ユニットである。表示制御装置１００の制御回路は、処理部６１、ＲＡＭ６２、メモリ装置６３及び入出力インターフェースを有するコンピュータを主体に構成されている。処理部６１は、ＣＰＵ（Central Processing Unit）及びＧＰＵ（Graphics Processing Unit）等を少なくとも一つを含む構成である。
【００２９】
メモリ装置６３には、処理部６１によって実行される種々のプログラムが格納されている。メモリ装置６３には、虚像表示されるコンテンツを生成する複数のアプリケーションプログラム（５０ａ〜５０ｅ）、及びコンテンツの虚像表示を統合的に制御する情報提示管理プログラム等が、表示制御プログラムとして記憶されている。表示制御装置１００は、情報提示管理プログラムに基づく機能ブロックとして、共通情報生成ブロック７１及び統合表示制御ブロック７３を有する。
【００３０】
共通情報生成ブロック７１は、各重畳表示アプリ５０ａ〜５０ｅ及び統合表示制御ブロック７３にて共通で使用される情報であって、虚像Ｖｉの意匠決定に必要な情報を、通信バスから取得する。共通情報生成ブロック７１は、経路案内情報に加えて、運転支援制御情報、自車運動情報及びドライバのセンシング情報等を通信バスから取得可能である。
【００３１】
共通情報生成ブロック７１によって提供される情報に基づき、重畳表示アプリ５０ａ〜５０ｅは、ＡＤＡＳ機能及びコクピット機能に関連したコンテンツの生成と、その表示フラグの設定とを実施する。各重畳表示アプリ５０ａ〜５０ｅは、運転支援制御システム２５のＡＣＣ機能、ＬＫＡ機能及びＦＣＷ機能、さらにナビゲーション装置等と関連付けられている。各重畳表示アプリ５０ａ〜５０ｅは、提供された情報に応じて、虚像表示させるコンテンツを個別に決定し、統合表示制御ブロック７３に対して表示要求を行う。
【００３２】
統合表示制御ブロック７３は、各重畳表示アプリ５０ａ〜５０ｅからの表示要求に基づき、共通情報生成ブロック７１から提供される情報を用いて、虚像Ｖｉの映像データを生成する。統合表示制御ブロック７３は、表示調停部７４、重畳表示補正部７５及び描画出力部７６を有している。
【００３３】
表示調停部７４は、虚像Ｖｉとして表示するコンテンツを調整する機能部である。表示調停部７４は、取得した表示要求の中から、優先度の高いコンテンツを選別し、虚像表示の対象とする。こうした設定により、例えばＦＣＷ機能に関連するような優先度（緊急度）の高い情報を通知するコンテンツは、実質必ず表示対象とされ、迅速に表示される。
【００３４】
重畳表示補正部７５は、共通情報生成ブロック７１にて取得された情報に基づき、重畳虚像１４を重畳対象に正しく重畳させるための補正情報を生成する。補正情報は、重畳対象とアイポイントＥＰとを３次元的に結ぶ仮想線上に、虚像Ｖｉの結像位置を調整するための情報である。重畳表示補正部７５は、重畳対象の相対位置、アイポイントＥＰの位置及び車両姿勢等を考慮した補正情報を逐次生成する。
【００３５】
描画出力部７６は、表示調停部７４によって選別されたコンテンツの元画像を描画する処理により、映像データを生成する。描画出力部７６は、映像データの個々のフレームにおいて、重畳表示補正部７５による補正情報に基づき、元画像の描画位置及び描画形状を調整する。描画出力部７６は、生成した各映像データを、予め規定された映像フォーマットにて、ＨＵＤ装置３０へ向けて出力する。
【００３６】
図１及び図２に示す表示制御装置１００において、重畳表示アプリ５０ａ〜５０ｅのうちの一つがＴＢＴ表示アプリ５０ｅである。ＴＢＴ表示アプリ５０ｅは、ルート情報に基づき、車両Ａの走行経路ＤＲをドライバに案内する案内表示物１１の表示を制御する。案内表示物１１の表示は、例えば交差点及び分岐等の案内ポイントＧＰへの接近に伴って開始され、案内交差点の通過によって終了される。ＴＢＴ表示アプリ５０ｅからの表示要求に基づき、統合表示制御ブロック７３では、案内表示物１１を含む映像データが生成される。ＴＢＴ表示アプリ５０ｅは、案内表示物１１の表示を制御するサブ機能ブロックとして、距離把握部５１、領域制限部５２及び表示制御部５３を有している。
【００３７】
距離把握部５１は、経路案内情報に基づき、車両Ａの現在位置及び方位、案内交差点座標、案内ポイントＧＰとなる案内交差点の形状、走行経路ＤＲに基づく案内交差点での退出方位、車両Ａから案内交差点までの残距離Ｌｒ等を把握する。距離把握部５１は、共通情報生成ブロック７１による高精度位置情報がある場合、高精度位置情報を用いて、車両Ａの現在位置及び方位等を把握可能である。
【００３８】
領域制限部５２は、重畳虚像１４の表示を許容する表示許可範囲ＵＡを、投影範囲ＰＡの一部に制限する。領域制限部５２は、表示許可範囲ＵＡの中心が投影範囲ＰＡの中心よりも下方となるように、表示許可範囲ＵＡを投影範囲ＰＡの下側に規定する。表示許可範囲ＵＡは、投影範囲ＰＡの下縁を含むように規定される。ドライバは、アイポイントＥＰから投影範囲ＰＡを見たとき、表示許可範囲ＵＡを通して、車両Ａの前方路面を視認する。故に、表示許可範囲ＵＡは、勾配及びカーブ等の道路形状に起因した重畳ずれが最小限となり易い範囲となる。
【００３９】
領域制限部５２は、表示許可範囲ＵＡを拡縮可能であり、表示許可範囲ＵＡを上方に拡大させる。表示許可範囲ＵＡは、例えば投影範囲ＰＡの全体まで拡大されてよい。一例として領域制限部５２は、案内交差点までの残距離Ｌｒが短いほど、表示許可範囲ＵＡの上縁を上方に移動させて、表示許可範囲ＵＡを大きく規定する。
【００４０】
また別の一例において、領域制限部５２は、車両Ａの前方についての認識情報に基づき、表示許可範囲ＵＡを変更する。認識情報は、外界センシング情報に基づく前走車の検知情報、並びに外界センシング情報及び高精度マップ情報に基づく勾配及びカーブ等の道路形状情報等である。領域制限部５２は、虚像Ｖｉと重なる虞のある前走車が検知されていない場合、表示許可範囲ＵＡを上方に拡大させる。加えて領域制限部５２は、車両前方の道路形状が高精度に把握できている場合、勾配及びカーブの態様に合わせて、表示許可範囲ＵＡを上方及び横方向に拡大させる。
【００４１】
領域制限部５２は、ドライバ等の乗員による操作入力に基づき、表示許可範囲ＵＡの設定を変更可能である。こうした操作は、例えばタッチパネル４４又はステアリングスイッチ４５等の操作部に入力される。ドライバは、拡大前の表示許可範囲ＵＡの初期サイズ、及び表示許可範囲ＵＡの拡大を許可するか否か等を、操作部への入力によって設定可能である。
【００４２】
表示制御部５３は、車両Ａから案内ポイントＧＰまでの残距離Ｌｒに応じて、虚像表示する表示物を切り替えて、残距離Ｌｒに対応した運転行動をドライバに示唆する。表示制御部５３は、残距離Ｌｒと比較する閾値として、表示開始距離Ｌ１、切替距離Ｌ２、接近距離Ｌ３、進入距離Ｌ４及び退出距離Ｌ５等の各閾値距離を設定する。表示制御部５３は、残距離Ｌｒと各閾値距離（Ｌ１〜Ｌ５）との比較に基づく動的な虚像表示の切り替えにより、ドライバに通知する通知情報を変更し、ドライバに対して必要なタイミングで必要な運転行動を示唆する。
【００４３】
表示制御部５３は、案内ポイントＧＰまでの残距離Ｌｒに応じて、案内表示物１１を非重畳虚像１２から重畳虚像１４へと切り替える。具体的に、距離把握部５１は、切替距離Ｌ２よりも残距離Ｌｒが長い場合に、非重畳虚像１２を案内表示物１１として表示させる。そして、車両Ａから案内ポイントＧＰまでの残距離Ｌｒが切替距離Ｌ２よりも短くなると、表示制御部５３は、非重畳虚像１２に替わる案内表示物１１として、重畳虚像１４を表示させる。重畳虚像１４は、非重畳虚像１２と関連する案内表示物１１であることを示すため、非重畳虚像１２と概ね同じ位置に表示される。即ち、重畳虚像１４の表示範囲の少なくとも一部は、非重畳虚像１２の表示範囲と重複している。
【００４４】
表示制御部５３は、案内ポイントＧＰまでの残距離Ｌｒに基づき、重畳虚像１４の態様を変更する。案内表示物１１として表示される重畳虚像１４には、レーン通知虚像１５、減速通知虚像１６、経路通知虚像１７、及び完了通知虚像等が含まれる。表示制御部５３は、残距離Ｌｒと各閾値距離（Ｌ２〜Ｌ５）との比較に基づき、各重畳虚像１４を順に切り替える。
【００４５】
表示制御部５３は、ドライバへの情報提示のタイミングを調整するため、走行経路ＤＲとなる道路の走行環境情報及びドライバ等の乗員による操作入力に基づき、非重畳虚像１２及び重畳虚像１４の態様を変更する各閾値距離（Ｌ１〜Ｌ５）を変更可能である。各閾値距離の変更によれば、非重畳虚像１２及び重畳虚像１４の表示開始のタイミング、並びに重畳虚像１４の態様を変更する状態遷移のタイミングが調整される。
【００４６】
表示制御部５３は、例えば経路案内情報に含まれる道路の種別情報及び混雑情報等を走行環境情報として用いる。表示制御部５３は、種別情報に基づき、例えば国道等の交通の流れが速い道路を走行している場合に、交通の流れが遅い道路を走行している場合よりも、各閾値距離を長く設定する。また表示制御部５３は、混雑情報に基づき、道路が混雑していると推定される場合に、時間を基準として各閾値距離（Ｌ１〜Ｌ５）を設定する。具体的に、表示制御部５３は、案内交差点までの予想到着時間に基づき、案内交差点に到着する特定秒前に、各閾値距離（Ｌ１〜Ｌ５）を設定する。
【００４７】
次に、一つの案内ポイントＧＰ（案内交差点）の通過に伴う案内表示物１１の状態遷移の詳細を、図２及び図３に基づき、図１を参照しつつ説明する。上述したように、ＴＢＴ表示アプリ５０ｅは、案内表示物１１として、非重畳虚像１２である交差点通知虚像１３を一旦表示させた後、重畳虚像１４であるレーン通知虚像１５、減速通知虚像１６、経路通知虚像１７及び完了通知虚像を順に表示させる。案内表示物１１として表示される各虚像Ｖｉには、共通する表示要素として、複数の経路線部１８が描画されている。各経路線部１８は、路面の幅方向に沿って線状に延伸する形状であり、走行経路ＤＲとなる路面に沿って、互いに間隔を開けつつ並んでいる。
【００４８】
交差点通知虚像１３は、案内ポイントＧＰとしての案内交差点への接近を報知する案内表示物１１である。交差点通知虚像１３は、案内交差点の全体形状を示す交差点形状画像１３ａに、案内交差点からの退出方位を示す多数の経路線部１８を組み合わせた態様で表示される。交差点通知虚像１３は、非ＡＲ表示物であり、特定の重畳対象に重畳されない状態で、投影範囲ＰＡの概ね全体に広がる大きさで、虚像表示される。
【００４９】
交差点通知虚像１３は、案内ポイントＧＰの手前に規定されるプレアプローチ区間ＰＡＳにて、虚像表示される。プレアプローチ区間ＰＡＳは、案内ポイントＧＰまでの残距離Ｌｒが表示開始距離Ｌ１から切替距離Ｌ２までの区間である。表示開始距離Ｌ１は、例えば残距離Ｌｒが７００ｍとなる地点に設定される。切替距離Ｌ２は、例えば残距離Ｌｒが３００ｍとなる地点に設定される。交差点通知虚像１３の表示は、残距離Ｌｒが表示開始距離Ｌ１となったタイミングで開始され、表示開始から特定時間（数秒）が経過したタイミングで終了される。交差点通知虚像１３の表示が切替距離Ｌ２まで継続されないのは、交差点通知虚像１３によって投影範囲ＰＡの全体が長時間覆われることを防ぐためである。
【００５０】
ＴＢＴ表示アプリ５０ｅは、走行経路ＤＲに沿って並ぶ複数の経路線部１８を、手前（下）側から順に表示させるアニメーションの実施により、案内交差点での車両Ａの移動方向を示す。ＴＢＴ表示アプリ５０ｅは、表示開始から特定時間が経過しタイミングにて、交差点通知虚像１３の表示を終了する。特定時間は、経路線部１８のアニメーションが一回、又は複数回表示させた後となるように、予め規定されている。こうしたアニメーションの繰り返し回数は、例えばＤＳＭによるドライバのセンシング情報に基づいて変更可能である。一例として、投影範囲ＰＡから目を離すようなドライバの脇見が検知された場合、ＴＢＴ表示アプリ５０ｅは、特定時間の延長により、アニメーションの繰り返し回数を増やすことができる。
【００５１】
レーン通知虚像１５は、案内交差点への到達までに、ドライバが車両Ａを移動させるべき推奨レーンを通知する案内表示物１１である。レーン通知虚像１５は、表示許可範囲ＵＡに表示される。レーン通知虚像１５は、路面画像１５ａ及び方向通知画像１５ｂを含んでいる。路面画像１５ａは、車両Ａの前方路面に重畳されている。路面画像１５ａは、道路の幅方向に沿って直線状に延伸する複数の経路線部１８によって表現されている。路面画像１５ａは、所定形状に描画される表示要素であり、案内交差点手前の道路形態に関わらず、実質一定の形状で表示される。
【００５２】
方向通知画像１５ｂは、各経路線部１８の上側又は下側に隣接表示される。方向通知画像１５ｂは、経路線部１８よりも短い長さで、経路線部１８に沿って直線状に延伸している。方向通知画像１５ｂの表示色は、路面画像１５ａの表示色とは異なっている。加えて、各経路線部１８のうちで方向通知画像１５ｂに望む一部は、方向通知画像１５ｂと実質同一の表示色で表示される。
【００５３】
方向通知画像１５ｂの路面画像１５ａに対する左右の相対位置は、案内交差点にて右左折等を行う方向であって、案内交差点までに車両Ａを移動させる左右の方向を示している。即ち、案内交差点までに車両Ａを右端のレーンに移動させる必要があるとき、方向通知画像１５ｂは、路面画像１５ａの右端に表示される。一方で、案内交差点までに車両Ａを左端のレーンに移動させる必要があるとき、方向通知画像１５ｂは、路面画像１５ａの左端に表示される。
【００５４】
レーン通知虚像１５は、アプローチ区間ＡＳにおいて表示される。アプローチ区間ＡＳは、走行経路ＤＲに沿ってプレアプローチ区間ＰＡＳよりも案内ポイントＧＰに近い側に規定される。アプローチ区間ＡＳは、案内ポイントＧＰまでの残距離Ｌｒが切替距離Ｌ２から接近距離Ｌ３までの区間である。接近距離Ｌ３は、一例として、残距離Ｌｒが１００ｍとなる地点に設定される。レーン通知虚像１５の表示は、残距離Ｌｒが切替距離Ｌ２となったタイミングで開始され、残距離Ｌｒが接近距離Ｌ３となるまで継続される。
【００５５】
減速通知虚像１６は、案内交差点に進入する際の推奨速度を通知し、ドライバに減速を促す案内表示物１１である。減速通知虚像１６は、レーン通知虚像１５と同様に、表示許可範囲ＵＡに表示され、路面画像１６ａ及び方向通知画像１６ｂを含んでいる。路面画像１６ａは、路面画像１５ａとは異なり、Ｖ字形状とされた複数の経路線部１８を有している。下凸状（又は上凸状）の各経路線部１８よりなる路面画像１６ａは、車両Ａの前方路面に重畳される。路面画像１５ａから路面画像１６ａへの形状変化により、減速通知虚像１６は、案内交差点までの距離感を直感的にドライバに認知させる。方向通知画像１６ｂは、路面画像１６ａと組み合わされて、案内ポイントＧＰまでに車両Ａを移動させる左右の方向を継続的に示す。
【００５６】
減速通知虚像１６は、車両Ａの走行速度に基づき、案内交差点への進入速度が高すぎると判定した場合、走行速度の高さを注意喚起する態様に変更される。例えばＴＢＴ表示アプリ５０ｅは、残距離Ｌｒに対応する速度閾値を設定する。車両Ａの走行速度が速度閾値を超えている場合、減速通知虚像１６の表示色は、例えばレッド又はアンバー等に変更される。
【００５７】
減速通知虚像１６は、進入区間ＥＳにおいて表示される。進入区間ＥＳは、走行経路ＤＲに沿ってアプローチ区間ＡＳよりも案内ポイントＧＰに近い側に規定される。進入区間ＥＳは、案内ポイントＧＰまでの残距離Ｌｒが接近距離Ｌ３から進入距離Ｌ４までの区間である。進入距離Ｌ４は、一例として、残距離Ｌｒが３０ｍとなる地点に設定される。減速通知虚像１６の表示は、残距離Ｌｒが接近距離Ｌ３となったタイミングで開始され、残距離Ｌｒが進入距離Ｌ４となるまで継続される。
【００５８】
経路通知虚像１７は、右左折等を行う案内交差点の位置及び案内交差点からの退出報知をドライバに報知する案内表示物１１である。表示許可範囲ＵＡの上方への拡張により、経路通知虚像１７は、投影範囲ＰＡの概ね全体を用いた表示とされる。経路通知虚像１７は、減速通知虚像１６から継続表示される路面画像１６ａと、経路画像１７ａとを含んでいる。経路画像１７ａは、路面画像１６ａの両側に配置され、走行経路ＤＲに沿って帯状に延伸している。経路通知虚像１７は、案内ポイントＧＰを含む前方路面に重畳されており、走行経路ＤＲに従った経路画像１７ａの湾曲により、案内交差点からの退出方位を示している。
【００５９】
経路通知虚像１７は、交差点範囲ＰＴにおいて表示される。交差点範囲ＰＴは、案内ポイントＧＰを含むように規定されている。交差点範囲ＰＴは、案内ポイントＧＰまでの残距離Ｌｒが進入距離Ｌ４から退出距離Ｌ５までのエリアである。退出距離Ｌ５は、一例として、残距離Ｌｒがマイナス３０ｍとなる地点、即ち、案内ポイントＧＰから退出方位に３０ｍの地点に設定される。経路通知虚像１７の表示は、残距離Ｌｒが進入距離Ｌ４となったタイミングで開始され、残距離Ｌｒが退出距離Ｌ５となるまで継続される。
【００６０】
完了通知虚像は、案内交差点での右左折の終了を通知する案内表示物１１である。完了通知虚像は、前方路面に重畳される路面画像を含んでいる。路面画像として表示された複数の経路線部１８を手前（下）側から順に表示させるアニメーションの実施により、完了通知虚像は、右左折が終了したことを通知しつつ、道路に沿った通常走行の開始をドライバに促す。完了通知虚像は、退出区間ＥＸＴにおいて表示される。退出区間ＥＸＴは、走行経路ＤＲに沿って交差点範囲ＰＴよりも案内ポイントＧＰから遠い側に規定される。完了通知虚像の表示は、残距離Ｌｒが退出距離Ｌ５となったタイミングで表示され、アニメーションを所定回数繰り返したタイミングで終了される。
【００６１】
ここで、図４に示すような連続分岐が走行経路ＤＲに生じた場合、ＴＢＴ表示アプリ５０ｅは、レーン通知虚像１５及び減速通知虚像１６の表示態様を変更可能である。ＴＢＴ表示アプリ５０ｅは、経路案内情報として、車両Ａを走行させるべき推奨レーンをナビゲーション装置から取得可能である。ＴＢＴ表示アプリ５０ｅは、推奨レーンが取得できている場合、一つ目の案内ポイント（分岐点ＧＰ１）手前のアプローチ区間ＡＳ及び進入区間ＥＳにて、通常の右左折時とは異なる表示形態のレーン通知虚像１５及び減速通知虚像１６を表示する。
【００６２】
具体的に、ＴＢＴ表示アプリ５０ｅは、一つ目の分岐点ＧＰ１手前にて、路面画像１５ａの中央に方向通知画像１５ｂを配置したレーン通知虚像１５、及び路面画像１６ａの中央に方向通知画像１６ｂを配置した減速通知虚像１６、を順に表示させる。こうした表示形態のレーン通知虚像１５及び減速通知虚像１６を用いて、ＴＢＴ表示アプリ５０ｅは、右端のレーン（図４のβ参照）ではなく、中央のレーン（図４のα参照）への誘導を行う。以上の表示に従い、ドライバが車両Ａを中央のレーンに移動させられていれば、二つ目の案内ポイント（分岐点ＧＰ２）での左折は、スムーズに実施され得る。
【００６３】
ここまで説明した案内表示物１１の表示を実現するために、表示制御装置１００にて実施される表示制御処理の詳細を、図５に基づき、図１及び図２を参照しつつ、詳細に説明する。図５に示す表示制御処理は、例えばナビゲーション装置等におけるルート設定の完了等、特定イベントの発生をトリガとして開始される。
【００６４】
Ｓ１０１では、案内表示物１１等の表示すべきコンテンツの有無を判定する。Ｓ１０１にて、表示すべきコンテンツがあると判定した場合、Ｓ１０２に進む。一方で、表示すべきコンテンツがないと判定した場合、Ｓ１０１の繰り返しにより、案内表示物１１等のコンテンツの発生を待機する。
【００６５】
Ｓ１０２では、経路案内情報等を取得し、Ｓ１０３に進む。Ｓ１０２にて取得する経路案内情報には、認識情報、道路の走行環境情報等が含まれている。Ｓ１０３では、Ｓ１０２にて取得した経路案内情報のうちで、特に道路の走行環境情報に基づいて、各閾値距離（Ｌ１〜Ｌ５）を設定し、Ｓ１０４に進む。
【００６６】
Ｓ１０４では、残距離Ｌｒを把握すると共に、最新の残距離Ｌｒが表示開始距離Ｌ１未満かを判定する。残距離Ｌｒが表示開始距離Ｌ１以上である場合、Ｓ１０４の繰り返しにより、案内ポイントＧＰへの接近を待機する。そして、残距離Ｌｒが表示開始距離Ｌ１未満となったタイミングにて、Ｓ１０５に進む。
【００６７】
Ｓ１０５では、交差点通知虚像１３を表示し、Ｓ１０６に進む。Ｓ１０６では、交差点通知虚像１３の表示終了条件が成立したか否かを判定する。上述したように、表示開始からの経過時間又はアニメーションの繰り返し回数等が、交差点通知虚像１３の表示終了条件として設定されている。Ｓ１０６にて、表示終了条件が成立したと判定した場合、Ｓ１０７に進む。
【００６８】
Ｓ１０７では、残距離Ｌｒと各閾値距離Ｌ２〜Ｌ５との比較が順に行われる。Ｓ１０７では、残距離Ｌｒを把握すると共に、最新の残距離Ｌｒが切替距離Ｌ２未満か否かを判定する。残距離Ｌｒが切替距離Ｌ２以上である場合、Ｓ１０７の繰り返しによって案内ポイントＧＰへの接近を待機する。そして、残距離Ｌｒが切替距離Ｌ２となったタイミングにて、Ｓ１０８に進む。
【００６９】
Ｓ１０８では、Ｓ１０２にて取得した認識情報に基づき、前走車の有無及び前方の道路形状に対応した表示許可範囲ＵＡを設定し、Ｓ１０９に進む。Ｓ１０８にて設定される表示許可範囲ＵＡのサイズは、繰り返し回数の増加に伴って大きくされる。Ｓ１０９では、レーン通知虚像１５の表示を開始し、Ｓ１１０に進む。以上のＳ１０７〜Ｓ１０９の繰り返しにより、重畳虚像１４は、レーン通知虚像１５、減速通知虚像１６、経路通知虚像１７及び完了通知虚像へと、順に切り替えられる。
【００７０】
Ｓ１１０では、重畳虚像１４の消去条件が成立したか否かを判定する。消去条件は、予め設定された条件であり、例えば案内交差点からの所定距離以上離れた、完了通知虚像の表示開始から所定時間が経過した、及び車両Ａが走行経路ＤＲから外れた等である。Ｓ１１０にて、消去条件が成立していないと判定した場合、Ｓ１０７に戻る。その結果、次の閾値距離と残距離Ｌｒとの比較が実施される。一方で、Ｓ１１０にて、消去条件が成立したと判定した場合、Ｓ１１１に進む。Ｓ１１１では、重畳虚像１４の表示をオフし、表示制御処理を終了する。
【００７１】
ここまで説明した本実施形態では、案内ポイントＧＰまでの残距離Ｌｒが切替距離Ｌ２よりも長い段階では、非重畳虚像１２が表示される。故に、案内ポイントＧＰは、案内表示物１１によって明示されない。その結果、遠方に位置し、知覚し難い案内ポイントＧＰを無理に認識するようなタスクの発生が防がれ得る。
【００７２】
そして、案内ポイントＧＰまでの残距離Ｌｒが切替距離Ｌ２よりも短くなった段階で、重畳虚像１４が案内表示物１１として表示される。こうした虚像表示の変化によれば、重畳対象の認識が容易となったタイミングにて、案内表示物１１は、重畳対象にドライバの注意を向けさせることができる。その結果、虚像表示は、スムーズな運転ができるようにドライバを支援可能となる。
【００７３】
加えて本実施形態の領域制限部５２は、重畳虚像１４の表示を許容する表示許可範囲ＵＡを投影範囲ＰＡの一部に制限する。こうした表示範囲の制限によれば、ＨＵＤ装置３０の画角のうちで、重畳対象から重畳虚像１４がずれ易い領域は、ＡＲ表示に使用されなくなる。故に、重畳虚像１４の重畳ずれに起因するドライバの違和感は、生じ難くなる。
【００７４】
また本実施形態では、投影範囲ＰＡのうちの下方寄りの範囲に表示許可範囲ＵＡが規定される。そのためレーン通知虚像１５及び減速通知虚像１６等の重畳虚像１４は、車両Ａ姿勢変化や道路形状等に関わらず、前方路面と重なる可能性が高い位置に描画される。以上のような表示範囲の制限によれば、勾配及びカーブ等の道路形状を要因とした重畳ずれ、並びに重畳虚像１４による前走車の遮蔽等が生じ難くなる。
【００７５】
さらに本実施形態では、案内ポイントＧＰまでの残距離Ｌｒが短い交差点範囲ＰＴでは、残距離Ｌｒが長いアプローチ区間ＡＳ及び進入区間ＥＳと比較して、領域制限部５２は、表示許可範囲ＵＡを大きく規定する。以上のような表示許可範囲ＵＡの調整制御によれば、表示制御部５３は、重畳ずれを生じ易い領域が減少した段階で、大きな重畳虚像１４を表示し得る。故に、重畳虚像１４による情報提示は、いっそうドライバに分かり易くなる。
【００７６】
加えて本実施形態では、車両前方の認識情報に基づき、表示許可範囲ＵＡが変更される。故に、表示制御部５３は、道路形状及び前走車の有無等、前方範囲の状態に最適な重畳虚像１４を、適宜表示可能となる。その結果、重畳虚像１４による情報提示は、いっそうドライバに分かり易くなる。
【００７７】
また本実施形態では、案内ポイントＧＰまでの残距離Ｌｒに基づき、重畳虚像１４の態様が、順に変更される。こうした重畳虚像１４の状態遷移によれば、案内ポイントＧＰまでの残距離Ｌｒが直接的に虚像表示されなくても、ドライバは、案内ポイントＧＰまでの残距離Ｌｒを、直感的に認知し得る。以上によれば、残距離Ｌｒに対応する運転行動がドライバに示唆され得るため、レーン移動及び減速等のドライバによる運転操作は、いっそうスムーズに行われる。
【００７８】
さらに本実施形態のレーン通知虚像１５において、路面画像１５ａは、車両前方の道路形状に実質関係なく、常に所定の形状で表示される。故に、自車が走行中の道路のレーン数、走行中のレーン位置、レーンの拡張位置等が不明であっても、ＴＢＴ表示アプリ５０ｅは、レーン通知虚像１５を描画できる。したがって、高精度位置情報及び高精度マップ情報の取得が困難な場合でも、案内表示物１１は、スムーズなレーン移動をドライバに促すことができる。
【００７９】
加えて方向通知画像１５ｂは、所定形状の路面画像１５ａに対する左右の相対位置により、車両Ａを移動させるべき左右の方向、ひいては案内ポイントＧＰでの退出方位を示すことができる。このように、レーン通知虚像１５は、ドライバに望む運転行動を、シンプルな表示によって分かり易く伝えることができる。
【００８０】
また本実施形態では、進入区間ＥＳへの進入に伴う減速通知虚像１６の表示により、適切なタイミングでドライバに減速が促される。加えて減速通知虚像１６は、進入時における走行速度の高さを注意喚起できる。以上によれば、減速通知虚像１６は、案内ポイントＧＰへのムーズな進入の実施を支援できる。
【００８１】
さらに本実施形態では、車両Ａの交差点範囲ＰＴへの進入により、案内ポイントＧＰを含む前方路面に、退出方位を示す経路通知虚像１７が表示される。以上のように、退出方位を示す経路通知虚像１７の表示タイミングを、案内交差点近傍の交差点範囲ＰＴへの到達まで遅らせることによれば、経路通知虚像１７によって示される退出方位は、案内ポイントＧＰからの退出先となる道路を、精度良く指し示し得る。故に、経路通知虚像１７を視認するドライバは、退出先となる道路を認識したうえで、案内ポイントＧＰでの右左折等をスムーズに行うことができる。
【００８２】
加えて本実施形態の表示制御部５３は、走行環境情報として取得する道路の種別情報及び混雑情報等に基づき、表示開始距離Ｌ１〜退出距離Ｌ５の各値を調整できる。こうした調整によれば、表示制御部５３は、実際の道路環境に応じて、運転者の運転行動が必要とされるタイミングで、交差点通知虚像１３及びレーン通知虚像１５〜経路通知虚像１７を逐次表示させていく。その結果、ドライバは、車両Ａの走行環境に関わらず、情報提示に基づきスムーズな運転操作を行い得る。
【００８３】
尚、上記実施形態では、統合表示制御ブロック７３が「表示生成部」に相当し、投影範囲ＰＡが「表示可能領域」に相当する。
【００８４】
（他の実施形態）
以上、本開示の一実施形態について説明したが、本開示は、上記実施形態に限定して解釈されるものではなく、本開示の要旨を逸脱しない範囲内において種々の実施形態及び組み合わせに適用することができる。
【００８５】
上記実施形態での非重畳虚像の表示は、残距離が切替距離になる以前に終了されていた。このように、案内表示物を非重畳虚像から重畳虚像へと切り替える間に、表示の中断期間が設定されていてもよい。また、非重畳虚像の表示は、残距離が切替距離になるまで継続されてもよい。こうした形態では、案内表示物は、交差点通知虚像からレーン通知虚像へと直接的に切り替えられる。
【００８６】
上記実施形態では、案内ポイントの近傍において、ＨＵＤ装置により表示される虚像表示物は、案内表示物のみであった。しかし、案内表示物以外の虚像表示物が、案内ポイントの近傍で表示されてよい。例えば、プレアプローチ区間において、道路標識及び歩行者等を注意喚起する重畳虚像が、交差点通知虚像と共に表示されてもよい。加えて、切替距離よりも案内交差点に近い区間において、交差点通知虚像を縮小させたアイコン形態の非重畳虚像が、案内表示物として表示される重畳虚像の周囲に、補足的に表示されていてもよい。
【００８７】
上記実施形態では、案内ポイントまでの残距離に応じて、重畳虚像は、レーン通知虚像、減速通知虚像、経路通知虚像及び完了通知虚像へと、順に切り替えられていた。こうした重畳虚像の数、及び個々の重畳虚像の表示継続時間等は、適宜変更されてよい。さらに、各重畳虚像によって通知される情報、各重畳虚像の形状等も、適宜変更されてよい。また、完了通知虚像は、重畳虚像ではなく、非重畳虚像として表示されてもよい。加えて、ＤＳＭによるドライバのセンシング情報に基づき、ドライバによる表示物の見逃しが推定される場合には、非重畳虚像及び重畳虚像の再表示が実施されてもよい。
【００８８】
上記実施形態では、アプローチ区間及び進入区間における表示許可範囲が投影範囲の一部に制限されていた。こうした表示範囲を制限する制御の詳細は、適宜変更されてよい。例えば、進入区間における表示許可範囲は、アプローチ区間における表示許可範囲より大きくされていてもよい。また、表示許可範囲は、残距離の減少に伴って連続的に拡大されてもよい。さらに、表示許可範囲を設定する処理は、実施されてなくてもよい。
【００８９】
加えて、表示許可範囲の初期の形状及び位置、拡張方向等も、適宜変更されてよい。例えば、表示許可範囲は、案内ポイントへの接近に伴い、退出方位へ向けて横方向に拡張されてもよい。さらに、表示許可範囲は、残距離及び認識情報とは異なるパラメータに基づいて大きさを変更されてもよい。
【００９０】
上記実施形態では、案内表示物の消去条件の一つとして、走行経路からの離脱の検知が設定されていた（図５  Ｓ１１０参照）。こうした消去条件として、走行経路からの離脱の兆候の検知が設定されていてもよい。詳記すると、高精度位置情報及び高精度マップ情報を共に取得できている場合、表示制御装置は、案内ポイント手前での車両の走行レーンがルート情報に基づく推奨レーンと一致しているか否かを判定できる。表示制御装置は、走行中のレーンが推奨レーンと異なる場合、車両が走行経路から離脱すると推定する。以上の推定に基づき、表示制御装置は、前景の視認を妨げ得る重畳虚像の表示を、早期に終了させる。
【００９１】
上記実施形態の表示制御部は、走行環境情報に基づき、各閾値距離を変更していた。こうした各閾値距離の変更制御の詳細は、適宜変更可能である。例えば、複数の閾値距離のうちで、特定の閾値距離（例えば切替距離）が、走行環境情報に基づく調整の対象から外されていてもよい。こうした形態では、案内ポイントまでの残距離が切替距離となる一定の位置で、重畳虚像の表示が開示される。その結果、一部のドライバは、表示遷移のタイミングが調整されてしまうよりも、運転操作のリズムを掴み易くなり得る。さらに、各閾値距離の変更制御は、実施されなくてもよい。
【００９２】
ドライバ等の乗員が設定変更に用いる入力インターフェースは、上記実施形態のようなタッチパネル及びステアリングスイッチ等に限定されない。例えば、音声及びジェスチャーの少なくとも一方による入力をユーザの操作として、表示許可範囲及び各閾値距離等の設定が切り替えられてもよい。尚、乗員による設定変更は、許可されていなくてもよい。
【００９３】
ＨＵＤ装置は、例えば異なる位置に遠虚像及び近虚像を結像させる二焦点方式の投影装置であってもよい。このようなＨＵＤ装置では、上記の非重畳虚像及び重畳虚像は、遠虚像として表示される表示物に相当する。
【００９４】
ＨＵＤ装置の光学的な構成は、適宜変更可能である。例えばプロジェクタには、レーザ光源及びＭＥＭＳスキャナ等を含む構成が採用されていてもよい。或いは、ＤＭＤ（Digital Micromirror Device）を用いたＤＬＰ（Digital Light Processing，登録商標）が、プロジェクタに採用されてもよい。さらに、ＬＣＯＳ（Liquid Crystal On Silicon）等を用いたプロジェクタ、液晶パネル及びＬＥＤ光源を有する液晶プロジェクタ等が、ＨＵＤ装置に採用可能である。
【００９５】
上記実施形態の表示制御装置は、ＨＵＤ装置とは別体の電子制御ユニットとして設けられていた。しかし、上記表示制御装置の各機能は、例えばＨＵＤ装置に設けられた制御回路に実装されていてもよく、又はコンビネーションメータに設けられた制御回路等に実装されていてもよい。
【００９６】
さらに、上記実施形態にて表示制御装置の制御回路により提供された各機能は、ソフトウェア及びそれを実行するハードウェア、ソフトウェアのみ、ハードウェアのみ、あるいはそれらの複合的な組合せによっても提供可能である。こうした機能がハードウェアである電子回路によって提供される場合、各機能は、多数の論理回路を含むデジタル回路、又はアナログ回路によっても提供可能である。
【００９７】
表示制御プログラム等を記憶するメモリ装置等には、フラッシュメモリ及びハードディスク等の種々の非遷移的実体的記憶媒体（non-transitory tangible storage medium）が採用可能である。こうした記憶媒体の形態も、適宜変更されてよい。例えば記憶媒体は、メモリカード等の形態であり、表示制御装置に設けられたスロット部に挿入されて、制御回路に電気的に接続される構成であってよい。さらに記憶媒体は、上述のような車載装置のメモリ装置に限定されず、当該メモリ装置へのプログラムのコピー基となる光学ディスク及び汎用コンピュータのハードディスクドライブ等であってもよい。
【符号の説明】
【００９８】
Ａ  車両、ＤＲ  走行経路、ＡＳ  アプローチ区間、ＥＳ  進入区間、ＧＰ  案内ポイント、Ｌｒ  残距離、Ｌ２  切替距離、ＰＡ  投影範囲（表示可能領域）、ＵＡ  表示許可範囲、Ｖｉ  虚像、１１  案内表示物、１２  非重畳虚像、１４  重畳虚像、１５  レーン通知虚像、１５ａ  路面画像、１５ｂ  方向通知画像、１６  減速通知虚像、１７  経路通知虚像、５１  距離把握部、５２  領域制限部、５３  表示制御部、６１  処理部、７３  統合表示制御ブロック（表示生成部）、１００  表示制御装置
【図１】
2019207155.tif 000003
【図２】
2019207155.tif 000004
【図３】
2019207155.tif 000005
【図４】
2019207155.tif 000006
【図５】
2019207155.tif 000007